(57)【要約】【課題】ワイヤロープの途中を支持具で支持され、任意に曲げられ、張られたワイヤロープを走行できる走行具と、これを利用した係留装置の提供。【解決手段】ワイヤロープとそれを支持するワイヤロープ支持具とワイヤロープを走行する走行具からなり、走工具は、金属および樹脂からなるパイプ状のフレームからなり、前記フレームは、側面視台形状に両端部を対象に斜めに切断し、各切断面どうし最も近い部分に山状の切欠き部を設け、山状の切欠き部のフレーム内面に突起部を設け、前記切欠き部反対側外面もしくは前記切欠き部より９０度ずれた外面に、繋ぎ金具を取り付け、前記フレーム内面に、ワイヤロープを通し、ワイヤロープ支持具を走行できることを特徴とする。 【選択図】図１
2011182738.tif 000002
【特許請求の範囲】
【請求項１】
金属および樹脂からなるパイプ状のフレームからなり、前記フレームは、側面視台形状に両端部を対象に斜めに切断し、各切断面どうし最も近い部分に山状の切欠き部を設け、前記切欠き部のフレーム内面に突起部を設け、前記切欠き部反対側外面もしくは前記切欠き部より９０度ずれた外面に、繋ぎ金具を取り付け、前記フレーム内面に、ワイヤロープを通し、ワイヤロープを上側または、横側より支持している支持梁を通過できることを特徴とする走行具。
【請求項２】
前記フレームの山状の切欠き部内面の突起がローラーである請求項１記載の走行具。
【請求項３】
前記フレームの山状の切欠き部内面の突起がボールベアリングである請求項１記載の走行具。
【請求項４】
上部にワイヤロープを支持する二つの歯車を設け、前記歯車は下部に伸びた軸に軸支されたギアによって二つの歯車が歯車どうしの間隔を一定に保つように噛合いを設定し、歯車どうしの間隔にワイヤロープ支持梁が通過できることを特徴とする走行具。
【発明の詳細な説明】
【技術分野】
【０００１】
本発明は、ワイヤロープに曲げたパイプを通して支持する係留装置と、このワイヤロープを走行できるロープ走行具に関するものである。
【背景技術】
【０００２】
従来、犬を飼っている人が、家の敷地にワイヤロープを張って、そのワイヤロープに金属の輪を通して、金属の輪がワイヤロープを滑り移動することで、犬が自由に動けるようにしたものがあった。また、ヤギが河川などで草を食べる際に、ある程度移動ができるようにワイヤロープに金属の輪を通して自由に移動できるようにしたものがあった。
【０００３】
しかしながら、ワイヤロープはまっすぐにしか張れず、また長いと重みで下がって長い距離を張ることができず、自由に動ける範囲が狭かった。この改善策として特開２００７−２９５８１０が開示されている。この文献は、ロープとロープを走行するロープ走工具とを備え、ロープ走工具は、上下２つの滑車と、滑車を回転自在に支持するフレームとを備え、上下の滑車の間にロープを通してあり、フレームは、株に犬をつなぐ繋ぎ紐の端部を係止する繋ぎ紐係止部を有するとともに、滑車の一方の側面側の上下の滑車の軸と軸の間の部分が開放していることを特徴とする係留装置が開示されている。
【特許文献１】特開２００７−２９５８１０
【発明の開示】
【発明が解決しようとする課題】
【０００４】
しかしながら、前記文献において、ロープの途中に紐をかけて曲げたロープを走行する際に、犬などが、紐をかけた反対側水平方向に引っ張った場合、上下の滑車が磁力のみで引っ張り合っているので、脱線する可能性が大きかった。本発明は以上に述べた実情に鑑み、支持具によって曲げたワイヤロープを走行できる係留装置の提供を目的とするものである。
【課題を解決するための手段】
【０００５】
第１発明の走行具は、金属および樹脂からなるパイプ状のフレームからなり、前記フレームは、側面視台形状に両端部を対象に斜めに切断し、各切断面どうし最も近い部分に山状の切欠き部を設け、前記切欠き部のフレーム内面に突起部を設け、前記切欠き部反対側外面もしくは前記切欠き部より９０度ずれた外面に、繋ぎ金具を取り付け、前記フレーム内面に、ワイヤロープを通し、ワイヤロープを上側または、横側より支持している支持梁を通過できることを特徴とする。
第２発明の走行具は、前記フレームの山状の切欠き部内面の突起がローラーであることを特徴とする。
第３発明の走行具は、前記フレームの山状の切欠き部内面の突起がボールベアリングであることを特徴とする。
第４発明の走行具は、上部にワイヤロープを支持する二つの歯車を設け、前記歯車は下部に伸びた軸に軸支されたギアによって二つの歯車が歯車どうしの間隔を一定に保つように噛合いを設定し、歯車どうしの間隔にワイヤロープ支持梁が通過できることを特徴とする。
【発明の効果】
【０００６】
犬を家の周りに動けるように係留装置を設置すれば、運動不足解消および防犯対策にもなる。またヤギや牛など特定の荒れ地などに放牧する際、限定的に係留装置を設置することによって、決められた部分のみ放牧して草を食べさせることも可能である。
【発明を実施するための最良の形態】
【０００７】
本発明の実施の形態を図面に基づいて説明する。図１は、本発明の第１実施例における走行具の側面図であり、図２は、図１の走行具の上面図および正面図である。走行具１は、パイプフレーム１２と繋ぎ金物１５を有している。パイプフレーム１２は、金属もしくは樹脂製のパイプからなり、側面視台形状に両端が斜めに形成されており、ワイヤロープ支持具３が進入口１３に入りやすいようになっている。パイプフレーム１２の長手方向にワイヤロープ支持具３が通過できるように、ワイヤロープ支持具３の大きさより大きな幅で溝が山状に形成されており、山状の切欠き部１１フレーム内面には突起部１４が形成されており、下部には、繋ぎ金具１５が取り付けられており、パイプフレーム１２の進入口１３が常にワイヤロープ支持具３に入りやすい状態になるように、この繋ぎ金物１５がバランスウェイトの役目をしている。
【０００８】
図３は、図２の走行具１の断面図である。A断面は、山状の切欠き部１１の断面である。B断面は、進入口１３の断面である。図４は図１の走行具１における突起部１４の説明図である。犬などが急激に飛びついたりした場合に、図４のようにワイヤが進入口へ入るようになる。突起部１４がないと進入口１３に入ったワイヤが、山状の切欠き部１１に引っ掛かり動けなくなってしまう。しかし、この突起部１４によって、ワイヤロープ２が進入口１３に入った場合、それ以上山状の切欠き部１１には入らないように、ワイヤロープ２が突起部１４とパイプフレーム１２端部に接触するようになっている。突起部は他にも利点がある。突起部１４が無いと、パイプフレーム１２が、ワイヤロープ２を走行する場合、パイプフレーム１２上面内側がワイヤロープ２と接触するが、突起部１４があると突起部１４のみ接触するようになり接触面積が減少し、摩擦を軽減できる。
【０００９】
図５は、本発明のワイヤロープ支持具３の平面図である。ワイヤロープ支持具３は、ワイヤロープ支持パイプ３１とワイヤロープ支持梁３２とターンバックル３４およびクランプ３５から構成されている。ワイヤロープ支持パイプ３１は、ワイヤロープ２を中に通せる直線または４５度曲げられたパイプからなり、両端部は、ワイヤ外径と同程度にテーパ状に細くなっている。またワイヤロープ支持パイプ３１は、ワイヤロープ２外径より大きな幅で、１回転螺旋状に切欠きされており、図６のように係留装置を構成する場合、ワイヤロープ２を張ってからでも、途中でワイヤロープ支持パイプ３１にワイヤロープ２を切欠き部３３に沿って巻きつけることで、ワイヤロープ２をワイヤロープ支持パイプ３１の中に挿入できるようになっている。ワイヤロープ支持具３は、ワイヤロープ支持パイプ３１の長手方向中心より金属製の丸棒からなるワイヤロープ支持梁３２が伸びてターンバックル３４に接続し、それからクランプ３５に接続している。
ワイヤロープ支持梁３２は、図５においては、クランプ３５をフェンスの支柱などに取り付けて、フェンスからまっすぐ伸びて、水平になるようになっている。図７および図８に適用している。図１及び図９においてはワイヤロープ支持具３のワイヤロープ支持梁３２が途中で下方向に９０度曲がった状態になっている。
本発明においては、ワイヤロープ支持梁３２が水平でも垂直でもかまわない。ただし、走行具１の進入口１３が、ワイヤロープ支持梁３２の方向と合うように繋ぎ金具１５の取り付け位置を変えなければならない。
【００１０】
図６は、本発明の係留装置の平面図であり、この装置は、家の境界フェンスなどを利用し、ワイヤロープ支持具３を使用して水平に張ったワイヤロープ２と、ワイヤロープ２を走行する走行具１とを備え、走行具１に犬６を繋ぎ金具１５で繋いである。ワイヤロープ２は、両端をフェンスなどにクランプ３５で取り付け、直線部の長いところは、ワイヤロープ支持具３で支持し、コーナー部分も、ワイヤロープ支持具４５度用を２つ用いて９０度コーナーを曲がるようにしている。図６の係留装置の平面図の中で、犬６の進行方向とワイヤロープ２が平行な場合では、ほとんど走工具１がワイヤロープ支持梁３２に引っ掛かって停止するということはない。しかし犬が９０度方向を変える場合、本発明の係留装置では、ワイヤロープは４５度以上曲げるということはしてないので、ワイヤロープ２の方向と犬６の進行方向が９０度になって動けなくなるということはない。よってワイヤロープ２を走る走行具１は、コーナーパイプ４５度用を通過する場合においても、犬６の進行方向と同じ方向にいくらかの分力があるので動けなくなるということはない。よって通過することができる。しかし何らかの理由で、ワイヤロープ支持梁３２に接触して止まった場合、犬６が紐を引っ張って繋ぎ金具１５を引くと、その反動で繋ぎ金具１５が左右に振れて通過できるようになっている。
【００１１】
図７は、本発明の第２実施例における走行具の側面図および正面図である。この実施例は、走工具１の突起部１４がローラーになっていることを特徴とするものである。ワイヤロープ支持梁３２が水平に設置されているタイプである。図１の走行具１よりも突起部１４がローラー４となっているので、ワイヤロープ支持梁３２を通過しやすくなっている。図８は、本発明の第２実施例における走行具１のワイヤロープ支持梁３２通過時の断面図である。ワイヤロープ支持梁３２が進入口に入り、ローラー４と接触するとパイプフレーム１２が回転して、通過する。
【００１２】
図９は、本発明の第３実施例における走行具１の側面図および上面図である。この実施例は、走行具１の突起部１４がボールベアリング５になっているものである。ワイヤロープ支持梁３２が垂直に設置されているタイプである。図１の走行具１よりも突起部１４がボールベアリング５となっているので、ワイヤロープ支持梁３２を通過しやすくなっており、普通にワイヤロープ２を走行する場合においても摩擦が軽減されている。
【００１３】
図１０は、本発明の第４実施例における走行具の斜視図である。図１１は、本発明の第４実施例における走行具の上面図である。図１２は、図１０のＡ部を表したもので、本発明の第４実施例における走行具の下部ギアの構造図である。８，９は、歯車でワイヤロープ２の上で回転しながら繋ぎ金物１５を支持している。歯車８，９は、回転方向は反対で同じ角速度をもつ。また、下部のギアで二つの歯車が歯車どうしの間隔を一定に保つように噛合いが連動され、歯車どうしの間隔にワイヤロープ支持梁３２が通過できるようになっている。また、ワイヤロープ支持梁３２が二つの歯車の間を通過する際に片方の歯車の先端に接触して進入しても、歯車どうしの間隔にはワイヤロープ支持梁３２が通過できる間隔が設けられているのでそのまま通過できるようになっている。その際走行具１が、ワイヤロープ２直径方向に少し回転するが、そのまま通過できるようになっている。
【図面の簡単な説明】
【００１４】
【図１】本発明の第１実施例における走行具の側面図である。
【図２】図１の走行具の上面図および正面図である。
【図３】図２の走行具の断面図である。
【図４】図１の走行具における突起部の説明図である。
【図５】本発明のワイヤロープ支持具の平面図である。
【図６】本発明の係留装置の実施例である。
【図７】本発明の第２実施例における走行具の側面図および正面図である。
【図８】本発明の第２実施例における走行具のワイヤロープ支持梁通過時の断面図である。
【図９】本発明の第３実施例における走行具の側面図および上面図である。
【図１０】本発明の第４実施例における走行具の斜視図である。
【図１１】本発明の第４実施例における走行具の上面図である。
【図１２】本発明の第４実施例における走行具の下部ギアの構造図である。
【図１３】従来の係留装置の側面図である。
【符号の説明】
【００１５】
１      走行具
１１    山状切欠き部
１２    パイプフレーム
１３    進入口
１４    突起部
１５    繋ぎ金具
２      ワイヤロープ
３      ワイヤロープ支持具
３１    ワイヤロープ支持パイプ
３２    ワイヤロープ支持梁
３３    切欠き部
３４    ターンバックル
３５    クランプ
４      ローラー
５      ボールベアリング
６      犬
７      家  
【図１】
2011182738.tif 000003
【図２】
2011182738.tif 000004
【図３】
2011182738.tif 000005
【図４】
2011182738.tif 000006
【図５】
2011182738.tif 000007
【図６】
2011182738.tif 000008
【図７】
2011182738.tif 000009
【図８】
2011182738.tif 000010
【図９】
2011182738.tif 000011
【図１０】
2011182738.tif 000012
【図１１】
2011182738.tif 000013
【図１２】
2011182738.tif 000014
【図１３】
2011182738.tif 000015
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
動物や物を係留するために張られたワイヤロープ（２）と、直線及び曲線のパイプの中に前記ワイヤロープ（２）を通して壁などからワイヤロープ支持梁（３２）によって前記ワイヤロープ（２）を支持するワイヤロープ支持具（３）と、金属及び樹脂からなるパイプ伏のフレーム（１２）からなり、前記フレーム（１２）は、側面視台形状に両端部を対称に斜めに切断し、各切断面どうし最も近い部分に前記ワイヤロープ支持梁の直径より大きな幅で、両端部は前記フレームの長手方向平行に切欠き部（１３）を設け、前記切欠き部の中ほどは前記ワイヤロープ支持梁の直径の幅だけ山状に緩やかに曲がり、前記山状の切欠き部（１１）の凸部側フレーム内面に突起部（１４）を設け、前記フレーム（１２）に、切欠き部（１３）の方向とワイヤロープ支持梁（３２）の位置とが同方向になるように、前記フレーム（１２）の下側に繋ぎ金物（１５）を取り付けたフレーム（１２）と、を具備し、繋ぎ金物（１５）に繋いだ係留物が、ワイヤロープ（２）と平行に移動しても、ワイヤロープ（２）からはずれずに前記フレーム（１２）がワイヤロープ支持梁（３２）を通過できることを特徴とする走行具。
【請求項２】
前記山状切欠き部（１１）の凸部側フレーム内面の突起部（１４）がローラーである請求項１記載の走行具。
【請求項３】
前記山状切欠き部（１１）の凸部側フレーム内面の突起部（１４）がボールベアリングである請求項１記載の走行具。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
動物や物を係留するために張られたワイヤロープ（２）と、
直線及び曲線のパイプの中に前記ワイヤロープ（２）を通して壁などからワイヤロープ支持梁（３２）によって前記ワイヤロープ（２）を支持するワイヤロープ支持具（３）と、金属もしくは樹脂からなるパイプ状のフレーム（１２）からなり、前記フレーム（１２）は、側面視台形状に両端部を対称に斜めに切断し、各切断面どうし最も近い部分に前記ワイヤロープ支持梁の直径より大きな幅で、両端部は前記フレームの長手方向平行に切欠き部（１３）を設け、前記切欠き部の中ほどは前記ワイヤロープ支持梁の直径の幅だけ山状に緩やかに曲がり、前記切欠き部を山状とした箇所（１１）において凸形状となる側のフレームの内面に突起部（１４）を設け、
前記フレーム（１２）に、切欠き部（１３）の方向とワイヤロープ支持梁（３２）の位置とが同方向になるように、前記フレーム（１２）の下側に繋ぎ金物（１５）を取り付けたフレーム（１２）と、を具備し、
繋ぎ金物（１５）に繋いだ係留物が、ワイヤロープ（２）と平行に移動しても、ワイヤロープ（２）からはずれずに前記フレーム（１２）がワイヤロープ支持梁（３２）を通過できることを特徴とする走行具。
【請求項２】
前記切欠き部を山状とした箇所（１１）において凸形状となる側のフレームの内面に設けた突起部（１４）がローラーである請求項１記載の走行具。
【請求項３】
前記切欠き部を山状とした箇所（１１）において凸形状となる側のフレームの内面に設けた突起部（１４）がボールベアリングである請求項１記載の走行具。